(57)【要約】【課題】チューナーが選局する信号の周波数と、復調部が出力するＴＳの出力レートとの関係が、選局周波数とＴＳの出力レートが一致したり、選局周波数とＴＳの出力レートの整数倍の周波数とが一致する関係となる場合に、受信信号にＴＳ信号自身もしくはＴＳ信号の高調波が加わり受信性能が低下する可能性があった。【解決手段】チューナーが選局する信号の周波数と、復調部が出力するＴＳの出力レートとの関係を比較し、選局周波数とＴＳの出力レートが一致したり、選局周波数とＴＳの出力レートの整数倍の周波数とが一致する場合には、復調手段からデコード手段に対して出力するＴＳの出力レートを変更する。このときＴＳ出力レートの変更は、ＴＳクロックを選局周波数への影響のない周波数へ変更する。【選択図】図１
2010118812.tif 000002
【特許請求の範囲】
【請求項１】
受信した放送信号を選局するチューナーと、各々が所定の動作周波数で動作する、少なくとも１つ以上の回路と、を備え、
前記チューナーで選局された周波数帯域と前記回路の動作周波数とが一致した場合は、前記回路は動作周波数を変更する受信装置。
【請求項２】
前記回路はＴＳレート変換手段であり、
前記ＴＳレート変換手段は、クロック信号の周波数を変更することにより動作周波数を変更することを特徴とする請求項１に記載の受信装置。
【請求項３】
前記チューナーで選局された周波数帯域と前記回路の動作周波数の整数倍とが一致した場合は、前記回路は動作周波数を変更する請求項１に記載の受信装置。
【発明の詳細な説明】
【技術分野】
【０００１】
本発明は、デジタル放送を受信・復調し、トランスポートストリーム形式の信号を出力するデジタル放送受信技術に関する。
【背景技術】
【０００２】
現在、放送のデジタル化が進められている。
【０００３】
例えば、日本や欧州において、地上デジタルテレビジョン放送方式として直交周波数分割多重伝送方式（ＯＦＤＭ方式）が採用されている。また、米国では残留側波帯伝送方式（ＶＳＢ方式）が用いられている。その他の放送方式も含め、受信した信号は復調された後、誤り訂正符号処理が行われた後に出力される。
【０００４】
多くのデジタル放送規格では、ビデオ信号、オーディオ信号、データ信号などを規格化された方式に従って符号化している。例えばＭＰＥＧ−２と呼ばれる規格が多く用いられている。
【０００５】
デジタル符号化された信号は、トランスポートストリーム（以下ＴＳ）形式で取り扱われている。ＴＳは、トランスポートパケットと呼ばれる１８８バイトのパケットから構成される。各々のＴＳパケットにはパケット識別子（ＰＩＤ）と呼ばれる情報が付与されており、異なる複数のプログラムを取り扱うことが可能である。
【０００６】
さらに、デジタル放送受信装置では、衛星放送、地上放送、ケーブル放送など放送波の入手方法に関わらず、ビデオ信号、オーディオ信号、データ信号の符号化規格が共通であれば、それぞれの受信信号を専用の復調回路にて復調しＴＳ形式で出力することで、１つの復号化回路（デコーダ）を用いてビデオ信号、オーディオ信号等を出力することが可能となる。
【０００７】
ところで、トランスポートストリームを復調部からデコーダへ出力する際には、例えば、クロック信号、データ信号、パケットクロック信号、データイネーブル信号の４つの信号が出力される。パケットクロック信号はＴＳパケットの先頭を示す信号であり、データイネーブル信号は、クロックのレートがＴＳのレートよりも高い場合や、出力される信号に情報バイトの１８８バイト以外の冗長バイトと呼ばれるデータが付与される際に、情報バイト期間を判定するために用いる。ただし、ＴＳ信号のデータ信号が１８８バイトの情報バイトだけから構成され、ＴＳクロック数がちょうど情報バイト数と一致する場合には、必ずしもデータイネーブルの信号が無くてもＴＳ信号の受け渡しは可能となる。
【０００８】
ところで、ＴＳ信号のレートは、デジタル放送ではキャリア変調方式などの伝送パラメータにより伝送容量が可変となるため一定のレートとはならない。特許文献１では、日本の地上デジタル放送において階層伝送が行われるような場合を例として、信号全体の伝送レートを伝送パラメータに依存せず一定とするため、規定時間に含まれるパケット数を想定されうる最大のパケット数となるようクロック周波数を規定した上で、送信時にヌルパケットを挿入する。ヌルパケットを挿入する際には、ＴＳ信号の持つ時刻基準の情報を付け直し、送信時には付与したヌルパケットを除去する。そして、受信機側では、実際に伝送されたパケットに加えヌルパケットを挿入している。この結果、ＴＳ信号の持つ時刻基準情報がずれることが無く、伝送パラメータ等が変化した場合においても信号全体の伝送レートが一定となる信号を送受信することができる。
【特許文献１】特許第３７９５１８３号公報
【発明の開示】
【発明が解決しようとする課題】
【０００９】
デジタル放送では誤り訂正符号化率やキャリア変調方式などの伝送パラメータによりＴＳのレートが変化する。このため、伝送パラメータの変更により、時間的にＴＳレートが変わったり、放送局によって伝送パラメータが異なる場合に送受信される信号の伝送容量が変化する。信号の伝送容量が変化したときにも、復調回路から出力されるＴＳのレートを一定に保つため、前述したように受信装置側でヌルパケットを挿入する等の工夫によりＴＳレートを一定に保っている。この結果、デコーダ回路は、衛星放送、地上放送、ケーブル放送など放送毎にあらかじめ決まったレートのＴＳを受け取ることができる。
【００１０】
ところで、デジタル放送は高い伝送容量を備えている。このため、復調部とデコーダ部間で受け渡しするＴＳ信号は、ＴＳクロックが例えば数十ＭＨｚという高い周波数の信号となる。その一方で、地上波テレビ放送では、例えばＵＨＦ帯域の４７０ＭＨｚ程度の帯域の信号や、より低いＶＨＦ帯域の信号帯域が使用される。チューナー回路には、前記の周波数帯域の信号が入力される。受信しようとする信号と、ＴＳ信号など受信装置内部の信号処理で用いる信号の周波数が近く、また、受信回路が小型化されていることもあり、ＴＳクロックやデータ信号自身やその高調波が、受信しようとする信号の送信周波数帯域と同一帯域となる場合がある。例えば受信装置の近傍に受信アンテナを備えた場合など、輻射された信号が受信アンテナに回り込んで放送波と共に受信されたり、受信装置の筐体内部のチューナー回路とに直接輻射信号が妨害信号となり受信信号品質が低下する。
【課題を解決するための手段】
【００１１】
上記の課題を解決するために、本発明の第１の発明のデジタル放送受信装置は、受信した放送信号を選局するチューナーが選局する信号の周波数と、復調部が出力するＴＳの出力レートとの関係を比較し、選局周波数とＴＳの出力レートが一致したり、選局周波数とＴＳの出力レートの整数倍の周波数が一致する場合には、ＴＳの出力レートを変更する。ＴＳの出力レートの変更には、選局周波数への影響のない周波数へとＴＳクロックを高く変更した上で、ＴＳクロックを増加した箇所についてデータイネーブル信号を用いて信号の無効期間であることを通知する。デコーダ側では、データイネーブル信号を用いてＴＳ信号を判定するため、ＴＳクロック周波数は変わってもＴＳレートは変化しない。
【発明の効果】
【００１２】
上記の方法により、デジタル放送受信装置がデジタル信号を受信する際に、デジタル放送受信装置がＴＳ信号を生成することに伴い発生するＴＳクロック信号またはＴＳクロック信号の高調波信号が妨害信号としてチューナー回路に入力される受信信号に回り込んだり、中間周波数帯域の信号に重なることで、受信品質を低下させてしまうことを防止できる。
【発明を実施するための最良の形態】
【００１３】
本発明の実施の形態に係るデジタル放送受信装置を図面を用いて説明する。
【００１４】
（実施の形態１）
まず、本発明のデジタル放送受信装置を具現化するための装置構成の一例を説明する。
【００１５】
図１は、本発明の実施の一例の構成を示すブロック図である。図１において、１０１はアンテナ手段、１０２は選局指示手段、１０３はチューナー手段、１０４は復調手段、１０５はＴＳレート変換手段、１０６はデコード手段である
アンテナ手段１０１は、放送局から送信される放送電波を電気信号に変換し出力する。アンテナ手段１０１としては、ケーブルテレビや光ファイバー等で有線により伝送された信号を受信するような手段であってもよい。
【００１６】
選局指示手段１０２は、チューナー手段１０３で選局する信号の周波数をチューナー手段１０３に通知し、また、ＴＳレート変換手段１０５に対してチューナー手段が受信する信号の周波数情報（中心周波数Ｆｃと信号帯域幅Ｆｗの情報）を通知する。
【００１７】
チューナ手段１０３は、前記選局指示手段１０２からの指示に基づいて前記アンテナ手段１０１より得られた信号から特定の周波数帯域の信号を抽出し、ベースバンドもしくは中間周波数帯域の信号へと変換し復調手段１０４へ出力する。
【００１８】
復調手段１０４は、前記チューナー手段１０３から得られた信号の復調を行いトランスポートストリーム（ＴＳ）信号を出力する。ＴＳ信号の一例を図２に示す。図２に示すようにＴＳ信号は（ａ）クロック信号、（ｂ）パケットクロック信号、（ｃ）データ信号、（ｄ）データイネーブル信号の少なくとも４種の信号から構成される。クロック信号の立ち上がりもしくはたち下がりタイミングにおいて、パケットクロック信号、データ信号およびデータイネーブル信号の信号レベルが閾値よりもＨｉｇｈかＬｏｗかを読み取ることで、各信号の内容を判別することができる。パケットクロック信号は、ＴＳパケットの先頭を示す信号である。データ信号は、例えば、１８８バイトの情報バイトと１６バイトの冗長バイトで構成される。また、データイネーブル信号により、データ信号が情報バイトの期間か冗長バイトの期間であるかを判定できる。なお、パケットクロック信号とデータイネーブル信号がそれぞれ反転していてもよい。また、図２ではデータ信号に冗長バイトが含まれた場合を例として記載したが、冗長バイトが含まれない信号であってもよい。また、図２では、クロック信号が規則的な周期の信号として記載したが、信号の立ち上がり周期が不規則な信号でもよい。
【００１９】
ＴＳレート変換手段１０５は、前記選局指示手段１０２からチューナー手段が受信する信号の周波数の情報（中心周波数Ｆｃと信号帯域幅Ｆｗの情報）を入手する。また、前記復調手段１０４からＴＳ信号を入手する。そして、ＴＳ信号のうちクロック信号の周波数Ｆｃｌｋの値を算出するか、別途ＴＳ信号のクロック信号の周波数Ｆｃｌｋの値を入手する。そして、ＴＳ信号のクロック信号の周波数Ｆｃｌｋと、受信信号の周波数Ｆｃとを比較する。
【００２０】
ＴＳ信号のクロック信号の周波数Ｆｃｌｋの整数倍の周波数Ｆｃｌｋ×Ｎ（Ｎは正の整数）が、受信信号の周波数帯域Ｆｃ±Ｆｗ／２の範囲の周波数と一致しなければ、ＴＳレート変換手段１０５は、前記復調手段１０４より入手したＴＳ信号をそのまま出力する。一方、ＴＳ信号の周波数の整数倍の周波数Ｆｃｌｋ×Ｎ（Ｎは整数）が受信信号の周波数帯域Ｆｃ±Ｆｗ／２の範囲の周波数値と一致する場合には、ＴＳ信号のクロック周波数を新たな周波数Ｆｃｌｋ’に変更する。
【００２１】
Ｆｃｌｋ’の算出方法を説明する。Ｆｃｌｋ’についても、Ｆｃｌｋ’の整数倍の周波数が受信信号の周波数帯域Ｆｃ±Ｆｗ／２と重ならず、かつ周波数Ｆｃｌｋよりも高い周波数をＦｃｌｋ’として設定する。例えば、受信信号の周波数Ｆｃ＝５００ＭＨｚ、帯域幅Ｆｗ＝６ＭＨｚ、ＴＳ信号のクロック信号の周波数Ｆｃｌｋ＝５０ＭＨｚの場合には、受信信号の信号帯域は、４９７ＭＨｚから５０３ＭＨｚの範囲となるため、Ｆｃｌｋの１０倍の周波数５００ＭＨｚと一致する。このため、新たに生成し直すＴＳ信号のクロック信号の周波数Ｆｃｌｋ’を５０．５ＭＨｚと設定する。この結果、Ｆｃｌｋ’の１０倍の周波数は５０５ＭＨｚとなり受信信号の信号帯域とは重ならない。
【００２２】
ＴＳ信号のクロック信号の周波数をＦｃｌｋ’に変更したことに伴い、データ信号とパケットクロック信号およびデータイネーブル信号も新たに生成したクロック信号のタイミングにあわせて作り替える。図３にＴＳレート変換手段で新たに生成されたＴＳ信号の構成を示す。まず、ＴＳクロック信号の周波数を高く設定したため、クロック周波数の増加分に相当する分だけデータ信号区間に例えばＬｏｗのデータを割り当てる（図３の（ｇ）の信号）。そして、追加したデータ区間に対応するデータイネーブル信号は、情報バイト区間では無いことを示すＬｏｗの値とする（図３の（ｈ）の信号）。
【００２３】
なお、ＴＳ生成手段が入手するＴＳ信号のクロック周波数Ｆｃｌｋの整数倍の周波数Ｆｃｌｋ×Ｎと受信信号の周波数帯域Ｆｃ±Ｆｗ／２の関係を計算する際に、Ｎの値に上限を設けてもよい。Ｎが大きくなるほどクロック信号の高調波である妨害信号レベルが低くなるため、例えばＮが２０以上となる場合には、ＴＳレート変換手段１０５は、復調手段１０４から入手したＴＳ信号をそのまま出力するというようにＮの値に上限をつけてもよい。
【００２４】
ＴＳレート変換手段１０５は、以上のように受信信号の周波数帯域とＴＳ信号のクロック信号の周波数を比較し、比較結果に基づいて復調手段１０４から入手したＴＳ信号をそのままデコード手段１０６に出力するか、復調手段１０４から入手したＴＳ信号のクロック信号の周波数を変更し、パケットクロック信号と、データ信号およびデータイネーブル信号を新たなクロックに対応した値に変更した上でデコード手段１０６に出力する。
【００２５】
デコード手段１０６は、ＴＳレート変換手段１０５よりＴＳ信号を入手し、ＴＳ信号のデコードを行う。そして、映像信号や音声信号もしくはデータ信号等の信号を出力する。
【００２６】
映像信号や音声信号およびデータ信号等は、それぞれ映像や音声を出力するための出力手段や、記録するための記録手段等や、データを出力するために適当な形式へと変換する変換手段等に対して出力される。デコード手段以降の構成は、本実施の形態に直接関係を持たないため詳細な説明は行わない。
【００２７】
なお、本実施の形態では、アンテナ手段１０１とチューナー手段１０３および復調手段１０４をそれぞれ１つ備えた構成を例として説明したが、アンテナ手段１０１とチューナー手段１０３と復調手段１０４をさらに備えていてもよい。少なくとも１系統のアンテナ手段とチューナー手段と復調手段は地上デジタル放送の受信と復調を行い、少なくとも１系統のアンテナ手段とチューナー手段と復調手段は、衛星デジタル放送の受信と復調を行う場合などが該当する。そして、選局指示手段１０２は、選局している信号がどちらの系統に属するか判断し、また、ＴＳ信号がどちらの復調手段より出力されるか判断した上で、ＴＳ生成手段に対して、前述の情報を通知する。
【００２８】
また、チューナー回路で受信した信号が、中間周波数帯域の信号に変換し処理する際に、ＴＳ信号や、ＴＳ信号の高調波が中間周波数帯域と同じ帯域の信号となるような場合にも、同様にＴＳ信号の再度作り直すことで、ＴＳ信号もしくはＴＳ信号の高調波が妨害信号として中間周波数帯域の信号に加わり受信信号品質を劣化させることを防止できる。このように、本実施の形態では、ＴＳ信号の周波数と受信信号帯域との関係について記載したが、必ずしも妨害を受ける信号の帯域が受信信号帯域とは限らない。
【産業上の利用可能性】
【００２９】
本発明のデジタル放送受信装置は、選局しようとする信号の周波数帯域と、復調部が出力するＴＳ信号のクロック信号の周波数との関係を比較し、選局信号の周波数帯域とＴＳのクロック信号の周波数が一致したり、選局周波数とＴＳのクロック信号の整数倍の周波数とが一致する場合には、デコード手段に対して出力するＴＳの出力レートを変更する。このときＴＳの出力レートの変更は、ＴＳクロック信号を選局周波数への影響のない周波数へ変更により行うが、データイネーブル信号等を用いてＴＳ信号内容には影響がないようにＴＳ信号を再生成するため、ＴＳ信号のクロック信号の周波数は変わっても、デコード手段が受け取るＴＳ信号内容そのものには変化がない。この結果、デジタル放送受信装置がデジタル信号を受信する際に、デジタル放送受信装置がＴＳ信号を生成することに伴い発生するＴＳクロック信号またはＴＳクロック信号の高調波信号が受信信号品質に影響を与える（妨害信号として受信アンテナで受信信号と共に受信されたり、受信装置内部の信号にＴＳクロック信号もしくはＴＳクロック信号の高調波信号が輻射ノイズとして加わり、受信信号の品質を低下させる）ことを防止できる。
【図面の簡単な説明】
【００３０】
【図１】本発明の実施の形態１のデジタル放送受信装置の構成例を示す図
【図２】本発明の実施の形態１のデジタル放送受信装置の復調手段が出力するトランスポートストリーム信号の構成を示す図
【図３】本発明の実施の形態１のデジタル放送受信装置のＴＳレート変換手段の出力するトランスポートストリーム信号の構成を示す図
【符号の説明】
【００３１】
１０１    アンテナ算出手段
１０２    選局指示手段
１０３    チューナ手段
１０４    復調手段
１０５    ＴＳレート変換手段
１０６    デコード手段
【図１】
2010118812.tif 000003
【図２】
2010118812.tif 000004
【図３】
2010118812.tif 000005